(57)【要約】【課題】  従来のレックレビュー表示では、レックレビュー表示される画像は、ユーザが確認したいシーンと必ずしも一致するとは限らない。【解決手段】  動画撮影中になされた静止画撮影の前後の所定時間の動画データの少なくともいずれか一方をレックレビュー用画像データとして記憶し（Ｓ１０９）、その記憶したレックレビュー用画像データを表示手段に表示する（Ｓ１１５）。【選択図】  図４
2010109940.tif 000002
【特許請求の範囲】
【請求項１】
動画及び静止画を撮影して記憶できる撮像装置であって、
被写体像を光電変換して画像信号を生成する撮像手段と、
前記撮像手段から連続的に出力される画像を動画データとして記憶する記憶手段と、
動画撮影中になされた静止画撮影の前後の所定時間の動画データの少なくともいずれか一方をレックレビュー用画像データとして記憶する記憶制御手段と、
画像を表示する表示手段と、
前記レックレビュー用画像データを前記表示手段に表示する制御手段と、
を有することを特徴とする撮像装置。
【請求項２】
前記レックレビュー用画像データの合計表示時間を設定する手段を更に有し、前記所定時間は、前記合計表示時間を前記静止画撮影の回数で割った時間、或は当該時間の半分に相当することを特徴とする請求項１に記載の撮像装置。
【請求項３】
前記レックレビュー用画像データの、静止画撮影ごとの表示時間を設定する手段を更に有し、前記所定時間は、前記表示時間或は前記表示時間の半分に相当することを特徴とする請求項１に記載の撮像装置。
【請求項４】
前記制御手段は、前記動画撮影の終了後に、前記レックレビュー用画像データを前記表示手段に表示することを特徴とする請求項１乃至３のいずれか１項に記載の撮像装置。
【請求項５】
前記制御手段により前記レックレビュー用画像データを前記表示手段に表示させるための指示を入力する手段を更に有することを特徴とする請求項１乃至４のいずれか１項に記載の撮像装置。
【請求項６】
動画及び静止画を撮影して記憶できる撮像装置の制御方法であって、
被写体像を光電変換して画像信号を生成する撮像工程と、
前記撮像工程から連続的に出力される画像を動画データとしてメモリに記憶する記憶工程と、
動画撮影中になされた静止画撮影の前後の所定時間の動画データの少なくともいずれか一方をレックレビュー用画像データとして記憶する記憶制御工程と、
前記レックレビュー用画像データを表示する制御工程と、
を有することを特徴とする撮像装置の制御方法。
【請求項７】
前記レックレビュー用画像データの合計表示時間を設定する工程を更に有し、前記所定時間は、前記合計表示時間を前記静止画撮影の回数で割った時間、或は当該時間の半分に相当することを特徴とする請求項６に記載の撮像装置の制御方法。
【請求項８】
前記レックレビュー用画像データの、静止画撮影ごとの表示時間を設定する工程を更に有し、前記所定時間は、前記表示時間或は前記表示時間の半分に相当することを特徴とする請求項６に記載の撮像装置の制御方法。
【請求項９】
前記制御工程は、前記動画撮影の終了後に、前記レックレビュー用画像データを表示することを特徴とする請求項６乃至８のいずれか１項に記載の撮像装置の制御方法。
【請求項１０】
前記制御工程により前記レックレビュー用画像データを表示させるための指示を入力する工程を更に有することを特徴とする請求項６乃至９のいずれか１項に記載の撮像装置の制御方法。
【発明の詳細な説明】
【技術分野】
【０００１】
本発明は、動画及び静止画を撮影して記憶できる撮像装置及びその制御方法に関するものである。
【背景技術】
【０００２】
近年、デジタルカメラやデジタルビデオカメラ等で、ＣＣＤ等の撮像素子を用い、画像をデータとして記録する撮像装置が数多く市場に出回っている。デジタルカメラでは、感光フィルムが不要になり、これに代わって半導体メモリカードやハードディスク装置等の記憶媒体に電子化された画像データを記憶している。これら記憶媒体はフィルムと違って何度でも書き込み、消去が可能であるので、消耗品に掛かる経費が少なくてすみ大変便利である。またデジタルカメラには、撮影した画像を表示する液晶表示装置と、着脱可能な大容量記憶装置が搭載されている。これら液晶表示装置と大容量記憶装置とを備えたデジタルカメラを利用すると、フィルムが不要になるばかりでなく、撮影した画像を液晶表示装置に表示して直ちに確認できる。これにより、満足の得られない画像データはその場で消去したり、また必要に応じて再撮影したりすることが撮影現場でも可能となり、フィルムを用いる銀塩写真と比較すると、写真撮影の効率が飛躍的に高まったと言える。
【０００３】
このような利便性と、撮像素子の高画素化などの技術革新により、デジタルカメラの利用範囲は拡大しており、近年では一眼レフ方式などレンズ交換が可能なデジタルカメラも多くなってきている。更に、上述の撮像装置の中には動画を撮影可能なものがあり、そのような撮像装置では、動画の撮影の終了直後に、液晶表示装置により、撮影した動画の内容を確認できるように構成されている。
【０００４】
動画撮影を行う場合、ユーザは、シーンごとのつながり等を考慮しながら撮影するために、撮影を開始する前に、直前に撮影した画像を確認することが必要となる。そのため従来のビデオカメラでは、撮影待機状態において、直前に撮影した内容を短時間で簡易的に確認できるように、撮影開始時のシーン、及び撮影終了時のシーンを再生する確認再生表示モードを設けている（特許文献１参照）。
【０００５】
また、直前に記憶されたクリップの動画データを複数の区間に分割し、それぞれの区間の動画データを互いに異なる速度で再生する制御手段を備えるビデオカメラが提案されている（特許文献２参照）。これによれば、ユーザは確認したいシーンを通常速度で再生し、また確認しなくても良いシーンは早送りで再生することが可能となり、全てのシーンを再生することに比べれば、短時間で、撮影した動画像の確認ができる。
【特許文献１】特開２０００−３５０１３５号公報
【特許文献２】特開２００６−１２１５８３号公報
【発明の開示】
【発明が解決しようとする課題】
【０００６】
しかし特許文献１では、確認できる動画は、記録開始時と記録終了時のシーンに限定されており、ユーザが確認したいシーンと必ずしも一致するとは限らない。よって、短時間で簡易的に直前に撮影した動画を確認するという目的が達成できるかどうかはわからない。
【０００７】
また特許文献２では、確認したいシーンを通常速度で再生することはできるものの、どの区間のデータを他の区間のデータよりゆっくり再生させるか、ユーザが指定する必要がある。
【０００８】
本発明の目的は、上記従来技術の問題点を解決することにある。
【０００９】
本願発明の特徴は、動画撮影中に静止画を撮影すると、その静止画撮影の前後の少なくともいずれかの動画データをレックレビュー画像として表示できる撮像装置及びその制御方法を提供することを目的とする。
【課題を解決するための手段】
【００１０】
上記目的を達成するために本発明の一態様に係る撮像装置は以下のような構成を備える。即ち、
動画及び静止画を撮影して記憶できる撮像装置であって、
被写体像を光電変換して画像信号を生成する撮像手段と、
前記撮像手段から連続的に出力される画像を動画データとして記憶する記憶手段と、
動画撮影中になされた静止画撮影の前後の所定時間の動画データの少なくともいずれか一方をレックレビュー用画像データとして記憶する記憶制御手段と、
画像を表示する表示手段と、
前記レックレビュー用画像データを前記表示手段に表示する制御手段と、
を有することを特徴とする。
【００１１】
上記目的を達成するために本発明の一態様に係る撮像装置の制御方法は以下のような工程を備える。即ち、
動画及び静止画を撮影して記憶できる撮像装置の制御方法であって、
被写体像を光電変換して画像信号を生成する撮像工程と、
前記撮像工程から連続的に出力される画像を動画データとしてメモリに記憶する記憶工程と、
動画撮影中になされた静止画撮影の前後の所定時間の動画データの少なくともいずれか一方をレックレビュー用画像データとして記憶する記憶制御工程と、
前記レックレビュー用画像データを表示する制御工程と、
を有することを特徴とする。
【発明の効果】
【００１２】
本発明によれば、動画撮影中に静止画を撮影すると、その静止画撮影の前後の少なくともいずれかの動画データをレックレビュー画像として表示できるため、動画撮影中の重要なシーンを容易に確認できるという効果がある。
【発明を実施するための最良の形態】
【００１３】
以下、添付図面を参照して本発明の好適な実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１４】
図１及び図２は、本発明の実施形態に係るデジタル一眼レフカメラの外観を示す図である。具体的には、図１はカメラ前面側より見た斜視図であって、撮影レンズユニットを外した状態を示し、図２はカメラ背面側より見た斜視図である。
【００１５】
図１において、１はカメラ本体であり、撮影時に使用者がカメラを安定して握り易いように前方に突出したグリップ１ａが設けられている。マウント部２は、着脱可能な撮影レンズユニット（不図示）をカメラ本体に固定させる。マウント接点２１は、カメラ本体１と撮影レンズユニットとの間で制御信号、状態信号、データ信号などを通過させると共に、撮影レンズユニット側に電力を供給する機能を有する。またマウント接点２１は、電気通信のみならず、光通信、音声通信などを可能なように構成してもよい。４は撮影レンズユニットを取り外す際に押し込むレンズロック解除釦である。５はカメラ本体１に配置されたミラーボックスで、撮影レンズを通過した撮影光束はここへ導かれる。このミラーボックス５の内部には、クイックリターンミラー６が配設されている。このクイックリターンミラー６は、撮影光束をペンタプリズム２２（図３）の方向へ導くために撮影光軸に対して４５°の角度に保持される状態と、撮像素子３３（図３）の方向へ導くために撮影光束から退避した位置に保持される状態とを取り得る。この撮像素子３３は、被写体像を光電変換して画像信号を生成する。
【００１６】
カメラ本体１の上部のグリップ１ａ側には、撮影開始の起動スイッチとしてのシャッタボタン７と、撮影時の動作モードに応じてシャッタスピードやレンズ絞り値を設定するためのメイン操作ダイヤル８と、撮影系の上面動作モード設定ボタン１０が配置されている。これらの操作部材の操作結果の一部は、ＬＣＤ表示パネル９に表示される。シャッタボタン７は、第１ストロークでＳＷ１（図３の７ａ）がオンし、第２ストロークにてＳＷ２（図３の７ｂ）がオンする構成となっている。また、上面動作モード設定ボタン１０は、シャッタボタン７の１回の押込みで連写になるか１コマのみの撮影となるかの設定や、セルフ撮影モードの設定などを行うものであり、ＬＣＤ表示パネル９にその設定状況が表示されるようになっている。
【００１７】
またカメラ本体１の上部中央には、カメラ本体１に対してポップアップするフラッシュユニット１１とフラッシュ取付け用のシュー溝１２とフラッシュ接点１３があり、カメラ上部右よりには撮影モード設定ダイヤル１４が配置されている。
【００１８】
グリップ１ａに対して反対側の側面には、開閉可能な外部端子蓋１５が設けられていて、この外部端子蓋１５を開けた内部には、外部インタフェースとしてビデオ信号出力用ジャック１６とＵＳＢ出力用コネクタ１７が納められている。
【００１９】
図２において、カメラ背面側には上方にファインダ接眼窓１８が設けられ、更に背面中央付近には画像表示可能なカラー液晶モニタ１９が設けられている。このカラー液晶モニタ１９の横に配置されたサブ操作ダイヤル２０は、メイン操作ダイヤル８（図１）の機能の補助的役割を担い、例えばカメラのＡＥモードでは自動露出装置により算出された適正露出値に対する露出補正量を設定するために使用される。また或は、シャッタスピードとレンズ絞り値の各々を使用者の意志によって設定するマニュアルモードにおいて、メイン操作ダイヤル８でシャッタスピードを設定し、サブ操作ダイヤル２０でレンズ絞り値を設定するように使用される。また、このサブ操作ダイヤル２０は、カラー液晶モニタ１９に表示される撮影済み画像の表示選択にも用いられる。４３はカメラの動作を起動もしくは停止するためのメインスイッチである。４４はクリーニングモードを動作させるためのクリーニング指示操作部材であり、ローパスフィルタ上に付着したゴミをふるい落とす動作を指示するためのものである。また４５は、録画の開始を指示する録画開始ボタンである。
【００２０】
図３は、本発明の実施形態に係るデジタル一眼レフカメラの主要な電気的構成を示すブロック図である。尚、前述の図面と共通する部分は同じ記号で示している。
【００２１】
１００はカメラ本体に内蔵されたマイクロコンピュータの中央処理装置（以下、ＭＰＵ）である。ＭＰＵ１００は、カメラの動作制御を司るものであり、各要素に対して様々な処理や指示を実行する。１００ａはＭＰＵ１００に内蔵されたＥＥＰＲＯＭであり、時刻計測回路１０９の計時情報やその他の情報を記憶可能である。ＲＯＭ１００ｂは、ＭＰＵ１００が実行するプログラム等を記憶している。ＲＡＭ１００ｃは、ＭＰＵ１００の制御処理時に使用されるワークメモリを提供しており、各種データを一時的に保存するのに使用される。
【００２２】
このＭＰＵ１００には、ミラー駆動回路１０１、焦点検出回路１０２、シャッタ駆動回路１０３、映像信号処理回路１０４、スイッチセンス回路１０５、測光回路１０６が接続されている。また、ＬＣＤ駆動回路１０７、バッテリチェック回路１０８、時刻計測回路１０９、電源供給回路１１０、圧電素子駆動回路１１１も接続されている。これらの回路はＭＰＵ１００の制御により動作する。また、ＭＰＵ１００は、撮影レンズユニット内に配置されたレンズ制御回路２０１と、マウント接点２１を介して通信を行う。マウント接点２１は撮影レンズユニットが接続されるとＭＰＵ１００へ信号を送信する機能も備えている。これにより、レンズ制御回路２０１は、ＭＰＵ１００との間で通信を行い、撮影レンズユニット内の撮影レンズ２００及び絞り２０４の駆動を、ＡＦ駆動回路２０２及び絞り駆動回路２０３を介して行うことが可能となる。尚、本実施の形態では便宜上１枚の撮影レンズで示しているが、実際は多数のレンズ群により構成されている。
【００２３】
ＡＦ駆動回路２０２は、例えば、ステッピングモータを有し、レンズ制御回路２０１の制御によって撮影レンズ２００内のフォーカスレンズ位置を変化させることにより、撮像素子３３に撮影光束の焦点を合わせるように調整する。絞り駆動回路２０３は、例えば、オートアイリスなどによって構成され、レンズ制御回路２０１によって絞り２０４を変化させ、光学的な絞り値を得るように構成されている。
【００２４】
メインミラー６は、撮影レンズ２００を通過する撮影光束をペンタプリズム２２へ導くとともに、その一部を透過させてサブミラー３０に導く。サブミラー３０は、透過された撮影光束を焦点検出用センサユニット３１へ導く。ミラー駆動回路１０１は、ミラー６を、ファインダにより被写体像を観察可能とする位置と、撮影光束から待避する位置とへ駆動するためのものである。同時に、サブミラー３０を、焦点検出用センサユニット３１へ撮影光束を導く位置と、撮影光束から待避する位置とへ駆動する。具体的には、例えば、ＤＣモータとギヤトレインなどを具備している。焦点検出用センサユニット３１は、結像面近傍に配置されたフィールドレンズ、反射ミラー及び、２次結像レンズ、絞り、複数のＣＣＤ（いずれも不図示）から成るラインセンサ等から構成されている周知の位相差方式の焦点検出センサユニットである。焦点検出センサユニット３１から出力された信号は、焦点検出回路１０２へ供給され、被写体像信号に換算された後、ＭＰＵ１００へ送信される。ＭＰＵ１００は、この被写体像信号に基づいて、位相差検出法による焦点検出演算を行う。そして、デフォーカス量及びデフォーカス方向を求め、これに基づいてレンズ制御回路２０１及びＡＦ駆動回路２０２を介して、撮影レンズ２００内のフォーカスレンズを合焦位置まで駆動する。ペンタプリズム２２は、メインミラー６によって反射された撮影光束を正立正像に変換反射する光学部材である。これにより使用者は、ファインダ光学系を介して、ファインダ接眼窓１８から被写体像を観察することができる。またペンタプリズム２２は、撮影光束の一部を測光センサ２３にも導く。測光回路１０６は、この測光センサ２３の出力を得て、観察面上の各エリアの輝度信号に変換し、ＭＰＵ１００に出力する。ＭＰＵ１００は、得られる輝度信号から露出値を算出する。３２は機械フォーカルプレーンシャッタであり、ユーザがファインダにより被写体像を観察している時には撮影光束を遮る。また撮像時にはレリーズ信号に応じて、不図示の先羽根群と後羽根群の走行する時間差により所望の露光時間を得るように構成されている。このフォーカルプレーンシャッタ３２は、ＭＰＵ１００の指令を受けたシャッタ駆動回路１０３によって制御される。
【００２５】
３３は撮像素子で、撮像デバイスであるＣＭＯＳが用いられる。撮像デバイスには、ＣＣＤ型、ＣＭＯＳ型及びＣＩＤ型など様々な形態があり、何れの形態の撮像デバイスを採用してもよい。３４はクランプ／ＣＤＳ（相関二重サンプリング）回路で、Ａ／Ｄ変換する前の基本的なアナログ処理を行うとともに、クランプレベルの変更も可能である。３５はＡＧＣ（自動利得調整装置）であり、Ａ／Ｄ変換する前の基本的なアナログ処理を行うとともに、ＡＧＣ基本レベルの変更も可能である。３６はＡ／Ｄ変換器であり、撮像素子３３のアナログ出力信号をデジタル信号に変換する。４１０は光学ローパスフィルタで、水晶からなる複屈折板及び位相板を複数枚貼り合わせて積層し、更に赤外カットフィルタを貼り合わせて構成している。４３０は積層型の圧電素子であり、ＭＰＵ１００に指令を受けた圧電素子駆動回路１１１により加振され、その振動を光学ローパスフィルタ４１０に伝えることにより、そこに付着したゴミを振るい落とすように構成されている。４００は、光学ローパスフィルタ４１０、圧電素子４３０、撮像素子３３と後述する他の部品と共にユニット化された撮像ユニットである。
【００２６】
映像信号処理回路１０４は、デジタル化された画像データに対してガンマ／ニー処理、フィルタ処理、モニタ表示用の情報合成処理など、ハードウエアによる画像処理全般を実行する。この映像信号処理回路１０４からのモニタ表示用の画像データは、カラー液晶駆動回路１１２を介してカラー液晶モニタ１９に表示される。また、映像信号処理回路１０４は、ＭＰＵ１００の指示により、メモリコントローラ３８を通じて、バッファメモリ３７に画像データを保存することも可能である。更に、映像信号処理回路１０４は、ＪＰＥＧなどの画像データ圧縮処理を行う機能も有している。連写撮影など連続して撮影が行われる場合は、一旦バッファメモリ３７に画像データを格納し、メモリコントローラ３８を通して未処理の画像データを順次読み出すことも可能である。これにより映像信号処理回路１０４は、Ａ／Ｄ変換器３６から入力されてくる画像データの速度に関わらず、画像処理や圧縮処理を順次行うことが可能となる。メモリコントローラ３８は、外部インタフェース４０（図１に示すビデオ信号出力用ジャック１６及びＵＳＢ出力用コネクタ１７が相当する）から入力される画像データをメモリ３９に記憶する記憶制御を行う。またメモリ３９に記憶されている画像データを外部インタフェース４０に出力する記憶制御機能も有する。尚、メモリ３９は、カメラ本体に対して着脱可能なフラッシュメモリ等である。
【００２７】
スイッチセンス回路１０５は、各スイッチの操作状態に応じて入力信号をＭＰＵ１００に送信する。７ａは、レリーズボタン７の第１ストロークによりオンするスイッチＳＷ１である。７ｂは、レリーズボタン７の第２ストロークによりオンするスイッチＳＷ２である。スイッチＳＷ２がオンされると、撮影開始の指示がＭＰＵ１００に送信される。また、メイン操作ダイヤル８、サブ操作ダイヤル２０、撮影モード設定ダイヤル１４、メインスイッチ４３、クリーニング指示操作部材４４が接続されている。ＬＣＤ駆動回路１０７は、ＭＰＵ１００の指示に従って、ＬＣＤ表示パネル９やファインダ内液晶表示器４１を駆動する。バッテリチェック回路１０８は、ＭＰＵ１００からの信号に従って、所定時間バッテリチェックを行い、その検出出力をＭＰＵ１００へ送る。４２は電源部であり、カメラの各要素に対して、必要な電源を供給する。時刻計測回路１０９は、メインスイッチ４３がオフされて次にオンされるまでの時間や日付を計測し、ＭＰＵ１００からの指令により、計測結果をＭＰＵ１００へ送信することができる。
【００２８】
次に本発明に係る実施形態１を図４のフローチャートを参照して説明する。
【００２９】
図４は、本実施形態１に係るカメラによるレックレビューの作成方法を説明するフローチャートである。尚、この処理を実行するプログラムはＲＯＭ１００ｂに記憶されており、ＭＰＵ１００の制御の下に実行される。
【００３０】
先ずステップＳ１０１で、録画開始ボタン４５が押されるのを待ち、ボタン４５が押されるとステップＳ１０２に進んで動画撮影を開始する。この動画撮影では、クイックリターンミラー６がミラーアップされてシャッタ３２が開かれ、撮像素子３３に光学像が結像される。そして所定のフレームレートで撮像素子３３から連続的に出力されるアナログ信号をＡ／Ｄ変換器３６でデジタル信号に変換し、映像信号処理回路１０４で所定の画素補間処理や色変換処理を行ってバッファメモリ３７に書き込む。こうしてバッファメモリ３７に書き込まれた画像データは再度読み出され、映像信号処理回路１０４で表示用の画像データに変換され、カラー液晶駆動回路１１２を介してカラー液晶モニタ１９に表示される。これにより、カラー液晶モニタ１９はライブビュー表示の状態（電子ビューファインダ動作）となる。
【００３１】
こうしてステップＳ１０２で動画の記録が開始されるとステップＳ１０３へ進み、レックレビュー用の動画像データを撮影画像とは別にバッファメモリ３７の別の領域（レックレビューバッファ）へ一時的に記憶する。このレックレビュー用の動画像データは、前述したライブビュー表示用の画像データと同様の方法で作成される。詳しくは、動画撮影時にバッファメモリ３７に書き込まれた動画像データを再度読み出し、映像信号処理回路１０４にて、表示用の動画像データに変換してレックレビューバッファにレックレビュー用画像データとして記憶される。次にステップＳ１０３で、レックレビューバッファに記憶された画像データをメモリ３９のレビュー画像記憶エリアに記憶する。また同時にステップＳ１０４で、バッファメモリ３７のメディア記録用の動画像データの記録を開始する。このステップＳ１０４での動画像データの記録は、バッファメモリ３７に書き込まれた動画データをメモリコントローラ３８を介してメモリ３９へ動画データとして記録する。
【００３２】
次にステップＳ１０５に進み、動画撮影中に静止画の撮影が指示されたかどうかを判定する。静止画の撮影が指示されないときはステップＳ１１０に進むが、静止画の撮影が指示されるとステップＳ１０６に進み、シャッタースイッチ７ａ（ＳＷ１）がオンとなったかどうかをみる。ＳＷ１がオンされるとＡＦ（オートフォーカス）やＡＥ（自動露出）等の処理を実行してステップＳ１０７に進み、シャッタースイッチ７ｂ（ＳＷ２）がオンとなったかをみる。こうしてＳＷ２がオンになったことを検知するとステップＳ１０８に進んで静止画の撮影を実行する。次にステップＳ１０９に進み、その撮影された静止画の前後の少なくともどちらか一方の動画像データをバッファメモリ３７のレックレビューバッファに記憶する。こうしてステップＳ１０９の後もステップ１１０で動画像の録画停止ボタン４５が押されない限り、動画像の撮影を継続して実行する。
【００３３】
そしてステップＳ１１０で動画像の録画停止ボタン４５が押されたことを検知するとステップＳ１１１に進み、動画の撮影を終了する。次にステップＳ１１２で、バッファメモリ３７への動画像の記録を終了し、これと同時にステップＳ１１３でメモリ３９への動画データの記録も終了する。
【００３４】
次にステップＳ１１４へ進み、レックレビューを行うかどうかを判断する。ここでレックレビューを行う場合はステップＳ１１５に進み、バッファメモリ３７のレックレビューバッファに一時記憶された動画データをカラー液晶モニタ１９に表示する。
【００３５】
図５は、本実施形態に係るステップＳ１０９における静止画撮影の前後におけるレックレビュー画像の取得を説明する図である。
【００３６】
まずレックレビュー用の動画データとして、撮影された静止画の前後の動画データを使用する場合について説明する。
【００３７】
いまレックレビューの合計表示時間をｔとすると、静止画の撮影枚数が１枚の場合（図５（Ａ））は、静止画撮影前のｔ／２分の動画像と、静止画撮影後のｔ／２分の動画像（図５（Ａ）の斜線部）をバッファメモリ３７のレックレビューバッファに一時記憶する。
【００３８】
図５（Ｂ）は、静止画の撮影枚数が２枚の場合を示している。この場合は、既に記憶されている１枚目の静止画の前後の動画データのそれぞれの時間ｔ／４分を取り出し、また２枚目の静止画の前後の動画データのそれぞれ時間ｔ／４分取り出してバッファメモリ３７のレックレビューバッファに記憶する。この場合は、２枚目の静止画を撮影した時点で、レックレビューバッファに記憶されている１回目の静止画撮影で記憶されたｔ／２分の動画データを半分にする処理がＭＰＵ１００で行われる。
【００３９】
図５（Ｃ）は、静止画の撮影枚数がＮ枚の場合を示す。この場合は、Ｎ回目の静止画の撮影時に、既に記憶されている１〜（Ｎ−１）枚目の静止画の前後の動画データそれぞれの時間ｔ／２Ｎ分を取り出す。そしてＮ枚目の静止画の前後の動画データそれぞれを時間ｔ／２Ｎ分取り出して、これらをバッファメモリ３７のレックレビューバッファに記憶する。
【００４０】
このようにして、動画の撮影中に静止画の撮影が行われると、その前後の動画データをレックレビュー用の画像データとして記憶する。そして静止画の撮影が連続して行われると、その静止画の撮影の度にレックレビュー用の動画が記憶され、その撮影回数に応じて１回のレックレビュー時間が短くなるように（合計レックレビュー時間はｔのまま）制御される。
【００４１】
図６は、本実施形態に係るステップＳ１０９における静止画撮影の前後におけるレックレビュー画像を取得する他の例を説明する図である。ここでは、撮影された静止画の前の動画データをレックレビュー用の画像として使用する場合を説明する。ここでもレックレビュー時間をｔとする。
【００４２】
図６（Ａ）は、静止画の撮影枚数が１枚の場合を示し、この場合は、静止画の撮影前のｔ分の動画データをバッファメモリ３７のレックレビューバッファに記憶する。
【００４３】
図６（Ｂ）は、静止画の撮影枚数が２枚の場合を示す。ここでは２枚目の静止画の撮影時に、既に記憶されている１枚目の静止画撮影の前の動画データの時間ｔ／２分を取り出す。そして２枚目の静止画撮影の前の動画データを時間ｔ／２分バッファメモリ３７のレックレビューバッファに記憶する。
【００４４】
図６（Ｃ）は、静止画の撮影回数がＮ回の場合を示す。この場合は、Ｎ回目の静止画の撮影が行われた時点で、既に記憶されている１〜（Ｎ−１）枚目の静止画撮影の前の動画データそれぞれの時間ｔ／Ｎ分を取り出す。そして、Ｎ枚目の静止画撮影の前の動画データを時間ｔ／Ｎ分取り出してバッファメモリ３７のレックレビューバッファに記憶する。
【００４５】
図７は、本実施形態に係るステップＳ１０９における静止画撮影の前後におけるレックレビュー画像を取得する更に他の例を説明する図である。ここでは、撮影された静止画の後の動画データをレックレビュー用の画像として使用する場合を説明する。ここでもレックレビュー時間をｔとする。
【００４６】
図７（Ａ）は、静止画の撮影枚数が１枚の場合を示し、この場合は、静止画の撮影後のｔ分の動画データをバッファメモリ３７のレックレビューバッファに記憶する。
【００４７】
図７（Ｂ）は、静止画の撮影枚数が２枚の場合を示す。ここでは２枚目の静止画の撮影後に、既に記憶されている１枚目の静止画撮影後の動画データの時間ｔ／２分を取り出す。そして２枚目の静止画の後の動画データを時間ｔ／２分バッファメモリ３７のレックレビューバッファに記憶する。
【００４８】
図７（Ｃ）は、静止画の撮影回数がＮ回の場合を示す。この場合は、Ｎ回目の静止画の撮影が行われた時点で、既に記憶されている１〜（Ｎ−１）枚目の静止画撮影後の動画データそれぞれの時間ｔ／Ｎ分を取り出す。そしてＮ枚目の静止画の撮影後の動画データを時間ｔ／Ｎ分取り出してバッファメモリ３７のレックレビューバッファに記憶する。
【００４９】
図８は、本実施形態１におけるレックレビューバッファに記憶されてえいる動画データの選別及び処理方法を説明する図である。
【００５０】
ここでは図５或は図６のように、静止画撮影の前の動画データをレックレビュー用画像としてバッファメモリ３７に一時記憶する場合で説明する。この場合は、図４のステップＳ１０３で、動画像の撮影開始直後から、バッファメモリ３７のメディア記録用領域だけでなく、レックレビュー用のレックレビューバッファにも動画データを記録しておく必要がある。しかしながら、レックレビュー用動画データとして、全ての動画データを記憶する必要は無い。図８では、動画撮影開始から現時点までの経過時間がＴ、レックレビューの表示時間をｔとして説明する。
【００５１】
ここで、撮影された静止画の前後両方の動画データをレックレビューに用いる場合には図８（Ａ）に示すように、動画撮影を開始してからの時間Ｔから遡って時間ｔ／２分の動画データが記憶されていればよい。従って、動画撮影を開始してからの時間（Ｔ−ｔ／２）分の動画データはレックレビューバッファから消去できる。
【００５２】
図８（Ｂ）は、静止画の撮影前の動画データだけをレックレビューに用いる場合を示す。この場合も同様にして、動画撮影を開始してからの時間（Ｔ−ｔ）分の動画データはレックレビューバッファから消去できる。
【００５３】
また図８（Ｃ）は、静止画撮影後の動画データのみをレックレビューに用いる場合を示す。この場合は、静止画を撮影するまではレックレビュー用の動画データをレックレビューバッファに記憶する必要は無い。
【００５４】
また２枚目の静止画の撮影を待機している状態において、静止画撮影の前後両方の動画データをレックレビューに用いる場合は、時間（Ｔ−ｔ／４）分の動画データをレックレビューバッファから消去できる。また、静止画撮影前の動画データのみをレックレビューに用いる場合は、時間（Ｔ−ｔ／２）分のの動画データをレックレビューバッファから消去できる。更に、Ｎ枚目の静止画の撮影を待機している状態では、１つの静止画撮影が行われる度に、順に時間（Ｔ−ｔ／２Ｎ）、（Ｔ−ｔ／Ｎ）分の動画データをレックレビューバッファから消去できる。
【００５５】
図９は、図４のステップＳ１１２でレックレビューバッファに記憶する画像データを説明する図である。尚、図９の斜線部はバッファメモリ３７のレックレビューバッファに一時記憶された動画データを示す。
【００５６】
事前に動画像のレックレビューが設定されていると、ステップＳ１１１で動画の撮影が終了すると、ステップＳ１１２で、レックレビューデータの生成が行われる。ここでもレックレビューする時間をｔとする。
【００５７】
図９（Ａ）は、動画撮影中にＮ枚の静止画を撮影し、各静止画撮影の前後両方の動画データをレックレビューに用いる場合のレックレビューバッファの状態を示す。ここでは各静止画の撮影毎に、順に時間ｔ／２Ｎ分の動画データ、静止画データ、ｔ／２Ｎ分の動画データ、そしてブランク（レックレビュー画像データの取得なし）が記憶される。ここでは、記憶する画像データの容量を少なくするために静止画の部分をブランクとしてもよいし、静止画が撮影されたことが分かるようなマークを挿入してもよい。
【００５８】
図９（Ｂ）は、Ｎ回の静止画撮影が行われ、静止画撮影前の動画データをレックレビューに用いる場合を示す。ｔ／Ｎ分の動画データ、静止画データ、ｔ／Ｎ分の動画データ、が順次記憶されている。この場合は、レックレビューデータの間に静止画データが存在するため、図９（Ａ）におけるブランクは不要である。
【００５９】
図９（Ｃ）は、静止画撮影後の動画データをレックレビューに用いる場合を示す。ここでは、レックレビューの最初の動画データの前に、静止画データが記憶されているが、必ずしも静止画データから開始されなくても、最初のレックレビュー用の動画データがあっても良い。
【００６０】
尚、本実施形態では、レックレビューの画像データをバッファメモリ３７に一時記憶されるように構成したが、ユーザの操作によって、メモリ３９にも記録するようにして、ユーザが後々に動画データを確認できるようにしてもよい。
【００６１】
また本実施形態では、レックレビュー用の画像データは動画像撮影の終了後に再生されるようにしているが、動画像撮影の直後に限らず、例えばユーザの操作によって任意のタイミングでレックレビューできるようにしても良い。
【００６２】
以上説明したように本実施形態１によれば、撮影者が特に設定や操作を行わなくても、動画撮影の終了後に、撮影者にとって重要なシーンを容易に確認できるレックレビュー表示を行うことができる。
【００６３】
尚、上記実施形態１では、動画の撮影中に多数の静止画を撮影すると、１回の静止画撮影に対応するレックレビュー時間が短くなる。このため１回の静止画撮影に対するレックレビュー時間の最小値が設定されていることが好ましい。
【００６４】
［実施形態２］
次に本発明に係る実施形態２について説明する。尚、この実施形態２に係るカメラ（撮像装置）の構成は、前述の実施形態１と同様であるため、その説明を省略する。
【００６５】
前述の実施形態１では、レックレビューの時間はｔと固定であったが、実施形態２では、その時間をユーザが任意の時間設定できるようにしている。
【００６６】
図１０は、本実施形態２に係るカメラによるレックレビューの作成方法を説明するフローチャートである。尚、この処理を実行するプログラムはＲＯＭ１００ｂに記憶されており、ＭＰＵ１００の制御の下に実行される。
【００６７】
ここでは先ずステップＳ２０１で、ユーザがレックレビューする時間ｔ１を設定する。この時間の設定は、前述のメイン操作ダイヤルＳＷ８やサブ操作ダイヤルＳＷ２０を使用して行われる。こうしてレックレビュー時間ｔ１が設定された後の処理（ステップＳ２０２〜Ｓ２１６）は、前述の図４のステップＳ１０１〜Ｓ１１５と同じであるため、その説明を省略する。
【００６８】
但し、ステップＳ２１６では、ステップＳ２０１で設定されたレックレビュー時間ｔ１だけレックレビューが行われることになる。
【００６９】
以上説明したように本実施形態２によれば、撮影者が任意にレビュー時間を設定することができる。これにより、手早く確認したい場合や、じっくり確認したい場合というように、必要に応じて適切に動画データを確認できる。
【００７０】
尚、上記実施形態２では、動画の撮影中に多数の静止画を撮影すると、１回の静止画撮影に対応するレックレビュー時間が短くなる。このため、１回の静止画撮影に対するレックレビュー時間の最小値が閾値として設定されていることが好ましい。
【００７１】
［実施形態３］
次に本発明に係る実施形態３について説明する。尚、この実施形態３に係るカメラ（撮像装置）の構成は、前述の実施形態１と同様であるため、その説明を省略する。
【００７２】
この実施形態３では、そのレックレビュー時間をユーザが任意の時間設定できるとともに、バッファメモリ３７のレックレビューバッファの空き容量が無くなった場合の処理として、先優先にするか、後優先にするかを設定できることを特徴としている。
【００７３】
図１１は、本実施形態３に係るカメラによるレックレビューの作成方法を説明するフローチャートである。尚、この処理を実行するプログラムはＲＯＭ１００ｂに記憶されており、ＭＰＵ１００の制御の下に実行される。
【００７４】
まずステップＳ３０１で、ユーザが１枚の静止画に対応する動画のレックレビュー時間ｔ２を設定する。この場合も、前述のメイン操作ダイヤルＳＷ８やサブ操作ダイヤルＳＷ２０を使用して行われる。次にステップＳ３０２に進み、レックレビューバッファの空き容量が無くなった場合の処理として、先優先にするか、後優先にするかを設定する。先優先とは、先に記憶されているレックレビュー用の動画データを優先して残すものであり、後優先とは、撮影終了時を最後尾として、後に撮影したレックレビュー用の画像データを優先して残すものである。先優先か、後優先かは、前述のメイン操作ダイヤルＳＷ８やサブ操作ダイヤルＳＷ２０を使用して、動画撮影に先立って設定されているものとする。
【００７５】
そしてステップＳ３０３からステップＳ３１１の処理は、前述の実施形態１における図４のステップＳ１０１からステップＳ１０８に相当するため、その説明を省略する。
【００７６】
ステップＳ３１２では、レックレビューバッファにレックレビュー用の動画データが一時記憶できる空き容量があるかどうかを判定する。ここでレックレビューバッファに空き容量があると判定するとステップＳ３１３に進み、図４のステップＳ１０９と同様に、その撮影された静止画の前後の少なくともどちらか一方の動画データをバッファメモリ３７のレックレビューバッファに記憶する。
【００７７】
一方、ステップＳ３１２で、レックレビューバッファに空き容量が無いと判断した場合はステップＳ３１４に進み、先優先、後優先のいずれが設定されているかを判断する。そして先優先であれば、レックレビューバッファへのックレビュー用の動画データの記憶を中止する。一方、後優先であれば、レックレビューバッファの最先のデータエリアから最新のデータエリア方向に向けて動画データの上書きを行う。
【００７８】
これにより、優先されているレックレビュー用の動画データを残しながら、レックレビューバッファの更新、即ち、新たに撮影されたレックレビュー用の画像データの記憶を行うことができる。
【００７９】
次にステップＳ３１５からステップＳ３１９は、前述の実施形態１に係る図４のステップＳ１１０からステップＳ１１４に相当するため、その説明を省略する。
【００８０】
そしてステップＳ３２０では、静止画１枚に対応するレックレビュー用画像を時間ｔ２の間表示する。よって静止画をＮ枚撮影した場合は、合計のレックレビュー時間は、ｔ２×Ｎとなる。
【００８１】
尚、先優先の場合には、レックレビューバッファのレックレビュー用の動画データを先頭から順次読み出して表示すればよい。また後優先の場合には、レックレビューバッファ内でレックレビュー用画像が時系列でない場合があるが、何処まで上書きしたかを示すポインタにより表示順序を変更しても良い。また或は、後優先の場合には、レックレビューバッファの空きがなくなった時点で、その内容を全て消去して、最新のレックレビュー用の動画データから書き込むようにしても良い。
【００８２】
図１２は、実施形態３に係るレックレビュー用画像を説明する図である。
【００８３】
図１２（Ａ）は、静止画撮影の前後、図１２（Ｂ）は静止画撮影の前、図１２（Ｃ）は静止画撮影の後の動画データをレックレビューに用いる場合のレックレビュー時間を概念的に示している。ここでは、静止画１枚に対応するレックレビュー用画像の表示時間をｔ２としている。
【００８４】
以上説明したように本実施形態３によれば、ユーザが、静止画１枚当たりのレックレビュー表示時間を任意に設定できる。このため、動画撮影中に、多くの静止画を撮影した場合であっても、実施形態２のように、１枚の静止画に対するレックレビュー時間が短くなることがない。よって重要なシーンを確実に確認することが出来る。
【００８５】
また実施形態３では、トータルのレックレビュー時間を固定しないため、多数の静止画を撮影した場合に、トータルのレックレビュー時間が長くなる。これによりバッファメモリに空きが無くなると、先優先、或は後優先の指示を基に、レックレビュー画像を生成することで、ユーザの意図を反映したレックレビューが可能となる。
【００８６】
本実施形態によれば、動画撮影中にあえて静止画を撮影するということは、撮影者にとって重要なシーンといえるため、その静止画撮影前後の少なくともいずれかの動画データをレックレビュー画像として記憶できる。
【００８７】
また本実施形態によれば、動画撮影中の撮影者にとって重要なシーンを容易に確認できるという効果がある。
【００８８】
（他の実施形態）
以上、本発明の実施形態について詳述したが、本発明は、複数の機器から構成されるシステムに適用しても良いし、また一つの機器からなる装置に適用しても良い。
【００８９】
なお、本発明は、前述した実施形態の機能を実現するソフトウェアのプログラムを、システム或いは装置に直接或いは遠隔から供給し、そのシステム或いは装置のコンピュータが該供給されたプログラムを読み出して実行することによっても達成され得る。その場合、プログラムの機能を有していれば、形態は、プログラムである必要はない。
【００９０】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【００９１】
プログラムを供給するための記録媒体としては、様々なものが使用できる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００９２】
その他、プログラムの供給方法としては、クライアントコンピュータのブラウザを用いてインターネットのホームページに接続し、該ホームページからハードディスク等の記録媒体にダウンロードすることによっても供給できる。その場合、ダウンロードされるのは、本発明のコンピュータプログラムそのもの、もしくは圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００９３】
また、本発明のプログラムを暗号化してＣＤ−ＲＯＭ等の記憶媒体に格納してユーザに配布する形態としても良い。その場合、所定の条件をクリアしたユーザに対し、インターネットを介してホームページから暗号化を解く鍵情報をダウンロードさせ、その鍵情報を使用することにより暗号化されたプログラムが実行可能な形式でコンピュータにインストールされるようにする。
【００９４】
また、コンピュータが、読み出したプログラムを実行することによって、前述した実施形態の機能が実現される形態以外の形態でも実現可能である。例えば、そのプログラムの指示に基づき、コンピュータ上で稼動しているＯＳなどが、実際の処理の一部または全部を行ない、その処理によっても前述した実施形態の機能が実現され得る。
【００９５】
更に、記録媒体から読み出されたプログラムが、コンピュータに挿入された機能拡張ボードやコンピュータに接続された機能拡張ユニットに備わるメモリに書き込まれるようにしてもよい。この場合、その後で、そのプログラムの指示に基づき、その機能拡張ボードや機能拡張ユニットに備わるＣＰＵなどが実際の処理の一部または全部を行ない、その処理によって前述した実施形態の機能が実現される。
【図面の簡単な説明】
【００９６】
【図１】本発明の実施形態に係るデジタル一眼レフカメラの外観を示す前面斜視図である。
【図２】本発明の実施形態に係るデジタル一眼レフカメラの外観を示す背面斜視図である。
【図３】本発明の実施形態に係るデジタル一眼レフカメラの主要な電気的構成を示すブロック図である。
【図４】本実施形態１に係るカメラによるレックレビューの作成方法を説明するフローチャートである。
【図５】本実施形態１に係るステップＳ１０９における静止画撮影の前後におけるレックレビュー画像の取得を説明する図である。
【図６】本実施形態１に係るステップＳ１０９における静止画撮影の前後におけるレックレビュー画像を取得する他の例を説明する図である。
【図７】本実施形態に係るステップＳ１０９における静止画撮影の前後におけるレックレビュー画像を取得する更に他の例を説明する図である。
【図８】本実施形態１におけるレックレビューバッファに記憶されてえいる動画データの選別及び処理方法を説明する図である。
【図９】図４のステップＳ１１２でレックレビューバッファに記憶する画像データを説明する図である。
【図１０】本実施形態２に係るカメラによるレックレビューの作成方法を説明するフローチャートである。
【図１１】本実施形態３に係るカメラによるレックレビューの作成方法を説明するフローチャートである。
【図１２】実施形態３に係るレックレビュー用画像を説明する図である。
【図１】
2010109940.tif 000003
【図２】
2010109940.tif 000004
【図３】
2010109940.tif 000005
【図４】
2010109940.tif 000006
【図５】
2010109940.tif 000007
【図６】
2010109940.tif 000008
【図７】
2010109940.tif 000009
【図８】
2010109940.tif 000010
【図９】
2010109940.tif 000011
【図１０】
2010109940.tif 000012
【図１１】
2010109940.tif 000013
【図１２】
2010109940.tif 000014